(57)【要約】【課題】夏季に建物二階を雨水の侵入なく効果的に換気することができる二階建て建物等における換気システムを提供する。【解決手段】建物二階１２に、同二階１２の空気を屋外に排気するファン駆動の強制排気口４が設けられ、建物一階１１と二階１２の階間の床６に換気専用の開口部７…が備えられ、強制排気口４のファンを駆動することにより、建物一階１１の空気が換気専用開口部７…を通じて二階１２に送り込まれて建物二階１２の空気が換気されるようになされている。そして、換気専用開口部７…を開閉するプレート１６が備えられている。【選択図】      図１
2004353274.tif 000002
【特許請求の範囲】
【請求項１】
建物二階に、同二階の空気を屋外に排気するファン駆動の強制排気口が設けられると共に、
建物一階と二階の階間の床に換気専用の開口部が備えられ、前記強制排気口のファンを駆動することにより、建物一階の空気が前記換気専用開口部を通じて二階に送り込まれて建物二階の空気が換気されるようになされており、かつ、
前記換気専用開口部を開閉する蓋が備えられている二階建て建物の換気システム。
【請求項２】
前記換気専用開口部が通気可能で歩行可能にカバーされている請求項１に記載の二階建て建物の換気システム。
【請求項３】
前記換気の対象である建物の二階の平面サイズが縦横いずれも３０ｍないしはそれに相当するサイズを越える扁平建物からなる請求項１又は２に記載の二階建て建物の換気システム。
【請求項４】
前記強制排気口が屋根側に備えられている請求項１乃至３のいずれか一に記載の二階建て建物の換気システム。
【請求項５】
前記建物が倉庫用建物である請求項１乃至４のいずれか一に記載の二階建て建物の換気システム。
【請求項６】
前記建物が配送センター用建物である請求項１乃至４のいずれか一に記載の二階建て建物の換気システム。
【請求項７】
前記建物が工場用建物である請求項１乃至４のいずれか一に記載の二階建て建物の換気システム。
【請求項８】
建物内の最上階に、同最上階の空気を屋外に排気するファン駆動の強制排気口が設けられると共に、
建物一階と最上階との間の階間の床に換気専用の開口部が備えられ、前記強制排気口のファンを駆動することにより、建物一階の空気が前記換気専用開口部を通じて最上階に送り込まれて建物最上階の空気が換気されるようになされており、かつ、
前記換気専用開口部を開閉する蓋が備えられている複数階建て建物の換気システム。
【発明の詳細な説明】
【０００１】
【発明の属する技術分野】
本発明は、倉庫、配送センター、工場等の二階建て等の建物における換気システムに関する。
【０００２】
【従来の技術】
倉庫、配送センター、工場等の大型の扁平な例えば二階建て建物において、最上階である建物二階は、夏季には、体温を越えるような高温になることがあって、空調を行わないと作業環境が厳しいものになることから、従来より、全館を冷房できるようになされたものも提供されてはいるが、コストが高くつき、そのため、一般には、建物二階を換気することが行われている。
【０００３】
そのような換気システムとして、建物二階の外壁にファン駆動の強制排気口を設け、ファンを駆動することにより、同二階の外壁側から給気が行われるようにした換気システムが広く採用されている。
【０００４】
また、屋根側にファン駆動の排気口、即ちルーフファンを設け、ファンを駆動することにより、建物二階の外壁側から給気が行われるようにした換気システムも考えられている。
【０００５】
【発明が解決しようとする課題】
しかしながら、前者の外壁から外壁への排気による換気システムでは、建物二階の平面サイズが大きい場合には、充分な換気効果を得られないという問題がある。外壁からの給気をファンによる強制給気とすることも考えられるが、屋内に雨水が引き込まれるおそれがあり、その対策が必要となる。
【０００６】
一方、後者のルーフファンを用いた換気システムでは、大きな排気量を確保することができて、屋根側に滞留する熱を排出するのに効果的であるが、外壁側からの給気では給気量が不足し、充分な効果を得られない。
【０００７】
本発明は、上記のような問題点に鑑み、夏季に建物二階を雨水の侵入なく効果的に換気することができる二階建て建物における換気システム、等を提供することを課題とする。
【０００８】
【課題を解決するための手段】
上記の課題は、建物二階に、同二階の空気を屋外に排気するファン駆動の強制排気口が設けられると共に、
建物一階と二階の階間の床に換気専用の開口部が備えられ、前記強制排気口のファンを駆動することにより、建物一階の空気が前記換気専用開口部を通じて二階に送り込まれて建物二階の空気が換気されるようになされており、かつ、
前記換気専用開口部を開閉する蓋が備えられている二階建て建物の換気システムによって解決される。
【０００９】
この換気システムでは、二階建て建物では一般に、建物一階に出入り用あるいは出し入れ用等の、二階外壁部分の開口部ないしは開口部群の開口面積に比べて大きい開口面積の開口部ないしは開口部群が備えられていることに着目し、建物二階への給気を建物一階の開口部ないしは開口部群から行うようにし、そのため、建物一階と二階の階間の床に換気専用の開口部を備えさせた。これにより、ファンを駆動して建物二階の排気口から強制排気を行うと、屋外の空気が、建物一階の開口部を通じて建物一階に送り込まれ、階間の換気専用開口部を通じて建物二階に送り込まれ、これにより、充分な給気量が確保され、夏季に、建物二階を効果的に換気することができる。
【００１０】
しかも、本システムには、階間の換気専用開口部を開閉する蓋が備えられているので、二階が高温にならない夏季以外の季節には、換気専用開口部を蓋で塞いでおくことにより、夏季想定の上記のような大風量換気が夏季以外の季節、例えば冬期に行われてしまうのを防ぐことができる。
【００１１】
加えて、上記のように、建物二階の換気のための給気を階間の換気専用開口部を通じて行うようにし、建物二階の外壁からの強制給気を排除ないしは少なくすることができるから、建物二階への雨水の侵入も防ぐことができる。
【００１２】
更に、階間の開口部は換気専用のものであり、例えば階段室を換気用の開口部としたものではないため、開口部のサイズや配置、数などに関して、他の用途に左右されずに最適設計していくことができる。
【００１３】
なお、階間の換気専用開口部は、防火の水平区画の問題を解消しておく必要がある場合には、防火ダンパーや防火・防煙ダンパーを備えさせておくとよい。防火ダンパー等の設置により、開口部を給気に最適なサイズに設計することができる。
【００１４】
上記の換気システムにおいて、前記換気専用開口部が通気可能で歩行可能にカバーされている場合は、換気のための給気を妨げることなく、換気専用開口部部分を歩行等のための床面として利用することができる。
【００１５】
特に、本発明は、換気の対象である建物の二階の平面サイズが縦横いずれも３０ｍないしはそれに相当するサイズを越える扁平建物からなる場合にも、夏季高温時に、建物二階を効果的に換気することができ、そのような大型扁平建物の二階の温度環境を良好なものにすることができる。
【００１６】
建物二階のファン駆動の強制排気口が屋根側に備えられている場合、即ちルーフファンが備えられている場合には、屋根側に滞留する熱を排出するのに効果的であり、それに必要な給気量を階間の換気専用開口部を通じた給気によって充分確保することができ、ルーフファン排気方式を効果あるものにすることができる。
【００１７】
本発明の換気システムは、上記のように、建物一階の外壁部分に、二階外壁部分の開口部ないしは開口部群の開口面積に比べて大きい開口面積の開口部が備えられていることに着目し、階間の床に換気専用開口部を設けて、建物一階の開口部を、建物二階の換気のための必要給気量の確保に役立てようとしたものであり、そのような構造の二階建て建物であればよく、建物の用途に特段の制限はないが、典型的には、倉庫用建物や、配送センター用建物、また、工場用建物などに用いて、高い効果を発揮することができる。
【００１８】
なお、本発明の換気システムは、二階建て建物に限らず、三階建て建物など、複数階建ての建物の換気システムとしても用いることも可能である。即ち、本発明は、建物内の最上階に、同最上階の空気を屋外に排気するファン駆動の強制排気口が設けられると共に、
建物一階と最上階との間の階間の床に換気専用の開口部が備えられ、前記強制排気口のファンを駆動することにより、建物一階の空気が前記換気専用開口部を通じて最上階に送り込まれて建物最上階の空気が換気されるようになされており、かつ、
前記換気専用開口部を開閉する蓋が備えられている複数階建て建物の換気システムをも含むものであり、この換気システムにおいても、二階建て建物の場合と同様の作用効果が奏される。
【００１９】
【発明の実施の形態】
次に、本発明の実施形態を図面に基づいて説明する。
【００２０】
図１及び図２に示す建物１は、倉庫用の二階建て建物であり、その平面サイズは、例えば、一辺８０ｍ、もう一辺が９０ｍの大型の扁平建物からなっており、図２に示すように、建物一階１１の外壁には、保管物を搬入搬出するための大開口部２が備えられていると共に、建物の二階１２の屋根３側にはファン駆動の強制排気口４…、即ちルーフファンが備えられている。
【００２１】
また、図１に示すように、平面的に見て建物の複数箇所に一階１１と二階１２を行き来するための階段５…が備えられているが、それとは別に、一階１１と二階１２との階間の床６には、二階１２への給気のための換気専用開口部７…が備えられている。
【００２２】
これにより、強制排気口４…のファンを駆動することで、屋外の空気が、建物一階１１の大開口部２を通じて建物一階１１に送り込まれ、それが、換気専用開口部７…を通じて二階１２に送り込まれて、建物二階１２の空気が換気されるようになされている。
【００２３】
なお、建物二階において、二点鎖線で囲まれた区画部分１２１は事務室や食堂などに用いられ、その他の部分１２２が倉庫部である。また、８はエレベーターで、建物二階１２に対する保管物の搬入搬出に用いられる。
【００２４】
そして、上記の各換気専用開口部７…には、図３及び図４に示すように、防火用ないしは防火・防煙用の開閉ダンパー９が設置されると共に、該ダンパー９下方の空気吸込口には防鳥網１０が設けられ、また、ダンパー９の上方に位置して、換気専用開口部７を通気可能で歩行可能にカバーするスチール製のグレーチング１４が設置され、更に、グレーチング１４とダンパー９との間には、一階１１から送り込まれる空気中の塵や埃を除去するエアーフィルター１５が設置されている。
【００２５】
更に、図４に示すように、本換気システムには、換気専用開口部７を開閉する蓋としてプレート１６が備えられていて、このプレート１６を、夏季以外の季節には、グレーチング１４とエアーフィルター１５との間に設置し、夏季にはそこから取り外して、換気専用開口部７を開閉することができるようになされている。
【００２６】
上記の換気システムでは、建物二階１２が高温になる夏季に、階間の換気専用開口部７…を開にし、ファンを駆動して屋根側の強制排気口４…からの排気を行うと、屋外の空気が、建物一階１１の大開口部２を通じて建物一階１１に送り込まれ、階間の換気専用開口部７…を通じて建物二階１２に送り込まれ、これにより、建物二階１２への充分な給気量が確保され、建物二階１２が給気不足を生じることなく効果的に換気される。
【００２７】
特に、本実施形態のように、建物が一辺８０ｍ、もう一辺が９０ｍの大型の扁平二階建て建物であっても、夏季高温時に、上記のようにして、建物二階１２を効果的に換気することができる。
【００２８】
とりわけ、建物二階１２のファン駆動の強制排気口４が屋根側に備えられているので、屋根側に滞留する熱を排出するのに効果的であり、それに必要な給気も、階間の換気専用開口部７…を通じて充分確保することができ、ルーフファン方式を効果あるものにすることができる。
【００２９】
また、本換気システムには、階間の換気専用開口部７…を開閉するプレート１６が備えられているので、二階が高温にならない夏季以外の季節、例えば冬期には、換気専用開口部７にプレート１６を設置しておくことにより、夏季想定の上記のような大風量換気がそのような季節において行われてしまうのが防がれる。
【００３０】
加えて、上記のように、建物二階１２の換気のための給気を階間の換気専用開口部７…を通じて行うようにし、建物二階１２の外壁からの強制給気を排除ないしは少なくすることができるから、建物二階１２への雨水の侵入の危険性もないか少ない。また、階間の開口部７…は換気専用のものであるから、同開口部７…のサイズや形状、配置、数などに関して他の用途に左右されずに最適設計していくことができる。更に、換気専用開口部７…は、グレーチング１４の設置によって、通気可能で歩行可能であり、換気のための給気を妨げることなく、換気専用開口部７…部分を歩行等のための床面として利用することができる。
【００３１】
以上に、本発明の実施形態を示したが、本発明はこれに限られるものではなく、発明思想を逸脱しない範囲で各種の変更が可能である。例えば、上記の実施形態では、建物二階のファン駆動の強制排気口を屋根側に設けた場合を示しているが、図５に示すように、ファン駆動の強制排気口４を建物二階の外壁側に設けてもよいし、図示しないが、建物二階の屋根側と外壁側の両方に設けるようにしてもよい。また、建物二階の給気は、階間の換気専用開口部７…と併せて、建物二階１２の外壁側の自然給気口を通じて行うようにしてもよい。また、換気専用開口部７…にファンを備えさせ、換気専用開口部７…を通じた建物二階１２への給気が強制給気となるようにしてもよい。また、本発明の換気システムが適用される二階建て建物は、倉庫用建物のほか、配送センター用建物、工場用建物などであってもよいし、その他の建物であってもよい。建物二階の平面サイズについても、縦横いずれも３０ｍないしはそれに相当するサイズ以下のものであってもよい。また、上記の実施形態において、換気専用開口部に給気ファンを設置し、建物一階から二階に強制的に給気を行うようにしてもよく、その場合には、建物二階の強制排気口との連繋によって建物二階の換気を促進することができると共に、ファンによる給気によって建物内に雨水が浸入するおそれもない。
【００３２】
また、上記の実施形態では、換気システムを二階建て建物用に構成した場合を示しているが、二階以上の複数建て建物に用いることも可能であり、その場合には、例えば三階建て建物であれば、一階と二階の階間の床、及び、二階と三階の階間の床にそれぞれ換気専用に開口部を形成し、該開口部を通じて一階の空気が三階に給気されるようにすればよい。
【００３３】
【発明の効果】
本発明は、以上のとおりのものであるから、夏季に、二階建て建物の二階や、複数階建て建物の最上階を、雨水の侵入なく効果的に換気することができる。
【図面の簡単な説明】
【図１】実施形態の二階建て建物の二階の平面図である。
【図２】図１のＩ−Ｉ線断面図である。
【図３】換気専用開口部の縦断面図である。
【図４】換気専用開口部から、グレーチング、プレート、フィルター、防鳥網を分離状態にした縦断面図である。
【図５】他の実施形態を示すもので、建物の垂直断面図である。
【符号の説明】
１…二階建て建物
２…一階開口部
３…屋根
４…強制排気口
６…階間の床
７…換気専用開口部
１１…一階
１２…二階
１４…グレーチング
１６…プレート（蓋）
【図１】
2004353274.tif 000003
【図２】
2004353274.tif 000004
【図３】
2004353274.tif 000005
【図４】
2004353274.tif 000006
【図５】
2004353274.tif 000007